(57)【要約】  ＰｏＣ通信において、主催者の設定に応じて発言権を制御することのできるシステムおよび方法を実現する。グループ管理サーバーには、ＰｏＣ通信を行うグループを形成する携帯電話機が登録され、プレゼンスサーバーは、携帯電話機からの通知に示されるＰｏＣ通信における各携帯電話機毎の発言の許可および拒否の状態を各携帯電話機ごとに管理し、ＰｏＣサーバーは、携帯電話機からのＰｏＣ通信を行う旨の要求に応じて、グループ管理サーバーにてグループを形成する携帯電話機間でのＰｏＣ通信の制御を行い、ＰｏＣ通信を行っている携帯電話機からの発言権の要求を受け付けると、プレゼンスサーバーに管理されている各携帯電話機毎の発言の許可および拒否の状態を参照し、その内容に応じて発言権の要求を行った携帯電話機についての発言を許可または拒否する。
2007105445.tif 000002
【特許請求の範囲】
【請求項１】
ＰｏＣ通信に参加するメンバーの発言可否状態を管理するプレゼンスサーバーと、
前記プレゼンスサーバーに管理される前記発言可否状態を参照して、前記ＰｏＣ通信に参加するメンバーからの発言を許可又は拒否するＰｏＣサーバーと、を含むこと、
を特徴とするＰｏＣ通信システム。
【請求項２】
前記プレゼンスサーバーが、更に、発言許可の有効期限を管理し、
前記ＰｏＣサーバーは、  前記プレゼンスサーバーに管理される前記発言可否状態と発言許可の有効期限を参照して、前記ＰｏＣ通信に参加するメンバーからの発言を許可又は拒否すること、を特徴とする請求項１に記載のＰｏＣ通信システム。
【請求項３】
更に、ＰｏＣ通信を行うグループを形成する携帯電話機を登録するグループ管理サーバーが接続され、
前記ＰｏＣサーバーは、前記携帯電話機からのＰｏＣ通信を行う旨の要求に応じて、前記グループ管理サーバーにてグループを形成する携帯電話機間でのＰｏＣ通信の制御を行うこと、を特徴とする請求項１又は２に記載のＰｏＣ通信システム。
【請求項４】
請求項１ないし請求項３のいずれかに記載のＰｏＣ通信システムにおいて、
前記ＰｏＣサーバーは、前記ＰｏＣ通信を行う旨の要求を行った携帯電話機をＰｏＣ通信の主催者が利用する主催者端末とし、該主催者端末とされた携帯電話機からの通知により前記プレゼンスサーバーは該ＰｏＣ通信における各携帯電話機毎の発言の許可および拒否の状態を管理するＰｏＣ通信システム。
【請求項５】
請求項１ないし請求項４のいずれかに記載のＰｏＣ通信システムにおいて、
前記ＰｏＣサーバーは、各携帯電話機の発言を行った発言時間および発言回数の少なくとも一方を記録し、ＰｏＣ通信を行っている携帯電話機からの発言権の要求を受け付けると、前記携帯電話機につき記録した発言時間又は発言回数の少なくとも一方が所定の閾値以内であることを条件として前記発言権の要求を行った携帯電話機についての発言を許可することを特徴とするＰｏＣ通信システム。
【請求項６】
ＰｏＣ通信システムに含まれるプレゼンスサーバーが、前記ＰｏＣ通信に参加するメンバーの発言可否状態を管理し、
ＰｏＣ通信システムに含まれるＰｏＣサーバーが、前記プレゼンスサーバーに管理される前記発言可否状態を参照して、前記ＰｏＣ通信に参加するメンバーからの発言を許可又は拒否すること、
を特徴とするＰｏＣ通信システムにおける発言制御方法。
【請求項７】
前記プレゼンスサーバーが、更に、発言許可の有効期限を管理し、
前記ＰｏＣサーバーは、前記プレゼンスサーバーに管理される前記発言可否状態と発言許可の有効期限を参照して、前記ＰｏＣ通信に参加するメンバーからの発言を許可又は拒否すること、を特徴とする請求項６に記載のＰｏＣ通信システムにおける発言制御方法。
【請求項８】
請求項６又は７に記載のＰｏＣ通信システムにおける発言制御方法であって、
前記ＰｏＣ通信を行う旨の要求を行った携帯電話機をＰｏＣ通信の主催者が利用する主催者端末とし、該主催者端末とされた携帯電話機からの通知により前記プレゼンスサーバーが該ＰｏＣ通信における各携帯電話機毎の発言の許可および拒否の状態を管理する発言制御方法。
【請求項９】
請求項６ないし請求項８のいずれかに記載のＰｏＣ通信システムにおける発言制御方法であって、
前記ＰｏＣサーバーが、各携帯電話機の発言を行った発言時間および発言回数の少なくとも一方を記録し、ＰｏＣ通信を行っている携帯電話機からの発言権の要求を受け付けると、前記携帯電話機につき記録した発言時間又は発言回数の少なくとも一方が所定の閾値以内であることを条件として前記発言権の要求を行った携帯電話機についての発言を許可することを特徴とする発言制御方法。
【請求項１０】
ＰｏＣ通信システムに含まれるサーバーに実行させる発言制御プログラムであって、
ＰｏＣ通信に参加するメンバーに対して各メンバーの発言可否状態を送信するプレゼンス処理と、
前記発言可否状態を参照して、前記ＰｏＣ通信に参加するメンバーからの発言を許可又は拒否するＰｏＣ制御処理と、を前記サーバーに実行させるプログラム。
【発明の詳細な説明】
【技術分野】
【０００１】
本発明は、ＰＴＴ（Push to Talk）ボタンを押下した先着順で発言権が取得できるＰｏＣ（Push To Talk over Cellular）通信における発言権制御方法に関する。
【背景技術】
【０００２】
ＰｏＣ通信は、インターネットプロトコルであるＳＩＰ（RFC 3216）を利用した通信で、携帯電話のネットワークを使用してグループ間の通信を可能とするものである。【０００３】
ＰｏＣ通信では、通話を行うためには発言権（フロア権）を取得する必要がある。発言権は一般的にＰＴＴボタンを押下することで取得することができ、ＰＴＴボタンを押下した先着順で取得することができる。発言権が取得できたかどうかは、ＰｏＣ通信を行うメンバーの参加状態や発言権の有無を確認するためのプレゼンス機能を用いて確認することが行われる。
【発明の開示】
【発明が解決しようとする課題】
【０００４】
従来のＰｏＣ通信プロトコルにおいては、発言権が先着順であるため、同じタイミングで発言権を取得をした場合に発言権を取得できないメンバーが発生するという問題がある。
これにより、発言の多いメンバーと発言が少ないメンバーが発生するという問題がある。【０００５】
また、ＰｏＣを利用して会議形態で通信を行う場合、発言者を指定するには従来通り音声により指定する必要があるが、このとき、次発言者を指定したのに他のメンバーが発言してしまうことがあるという欠点もある。【０００６】
本発明は上述した従来の技術が有する問題点に鑑みてなされたものであって、ＰｏＣ通信において、発言権の所在を明示し、これに基づいた発言権の制御ができるシステムおよび方法を実現することを目的とする。
【課題を解決するための手段】
【０００７】
本発明の第１の視点によれば、前記ＰｏＣ通信に参加するメンバーの発言可否状態を管理するプレゼンスサーバーと、前記プレゼンスサーバーに管理される前記発言可否状態を参照して、前記ＰｏＣ通信に参加するメンバーからの発言を許可又は拒否するＰｏＣサーバーと、を含むこと、を特徴とするＰｏＣ通信システムが提供される。【０００８】
本発明の第２の視点によれば、ＰｏＣ通信システムに含まれるプレゼンスサーバーが、前記ＰｏＣ通信に参加するメンバーの発言可否状態を管理し、ＰｏＣ通信システムに含まれるＰｏＣサーバーが、前記プレゼンスサーバーに管理される前記発言可否状態を参照して、前記ＰｏＣ通信に参加するメンバーからの発言を許可又は拒否すること、を特徴とするＰｏＣ通信システムにおける発言制御方法が提供される。【０００９】
本発明の第３の視点によれば、ＰｏＣ通信システムに含まれるサーバーに実行させる発言制御プログラムであって、ＰｏＣ通信に参加するメンバーに対して各メンバーの発言可否状態を送信するプレゼンス処理と、前記発言可否状態を参照して、前記ＰｏＣ通信に参加するメンバーからの発言を許可又は拒否するＰｏＣ制御処理と、を前記サーバーに実行させるプログラム及び該プログラムを格納した記録媒体が提供される。
【発明の効果】
【００１０】
以下に本発明の効果について概要を説明する。
上記のように構成される本発明においては、ＰｏＣ通信における発言権の所在が明確化される。また、プレゼンス上で発言許可が認識できるので、発言の競合なども防止することができる。【００１１】
本発明は、ＰｏＣ通信で会議を行う会議システムに好適に応用することができる。この場合、発言を行ってほしいメンバーを明示的に示すことができる。また、発言して欲しくないメンバーの発言を抑止することができる効果がある。
【図面の簡単な説明】
【００１２】
【図１】本発明に係わる携帯端末装置としての携帯電話機の回路構成の要部を示すブロック図である。
【図２】ＰｏＣ通信を行うシステムの構成を概略的に示す図である。
【図３】ＣＰＵ１２および表示制御部２１の制御により表示部２２に表示される画面を示す図である。
【図４】ＣＰＵ１２および表示制御部２１の制御により表示部２２に表示される画面を示す図である。
【図５】ＣＰＵ１２および表示制御部２１の制御により表示部２２に表示される画面を示す図である。
【図６】実施例の動作を示すフローチャートである。
【図７】実施例の動作を示すフローチャートである。
【図８】実施例の動作を示すフローチャートである。
【図９】実施例の動作を示すフローチャートである。
【符号の説明】
【００１３】
１１    携帯電話機
１３    バス
１２    ＣＰＵ（中央処理装置）
１４    ＲＯＭ
１５    作業用メモリ
１６    ＬＥＤ
１７    操作キー（特定キー）
１９    キー入力部
２１    表示制御部
２２    表示部
２３    送受信部
【発明を実施するための最良の形態】
【００１４】
本発明の第１の実施の形態に係るＰｏＣ通信システムは、ネットワークを介して相互に接続される、複数の携帯電話機と、プレゼンスサーバーと、ＰｏＣサーバーおよびグループ管理サーバーとを含んで構成される。【００１５】
前記グループ管理サーバーは、ＰｏＣ通信を行うグループを形成する携帯電話機を登録管理する。【００１６】
前記プレゼンスサーバーは、前記携帯電話機からの通知に示されるＰｏＣ通信における各携帯電話機の発言の許可および拒否の状態を各携帯電話機毎に管理する。【００１７】
前記ＰｏＣサーバーは、前記携帯電話機からのＰｏＣ通信を行う旨の要求に応じて、前記グループ管理サーバーにてグループを形成する携帯電話機間でのＰｏＣ通信の制御を行い、ＰｏＣ通信を行っている携帯電話機からの発言権の要求を受け付けると、前記前記プレゼンスサーバーに管理されている各携帯電話機毎の発言の許可および拒否の状態を参照し、その内容に応じて前記発言権の要求を行った携帯電話機についての発言を許可または拒否する。【００１８】
本発明の第２の実施の形態に係るＰｏＣ通信システムは、ネットワークを介して相互に接続される、複数の携帯電話機と、プレゼンスサーバーと、ＰｏＣサーバーおよびグループ管理サーバーとを含んで構成される。【００１９】
前記グループ管理サーバーは、ＰｏＣ通信を行うグループを形成する携帯電話機を登録管理する。【００２０】
前記プレゼンスサーバーは、前記携帯電話機からの通知に示されるＰｏＣ通信における各携帯電話機の発言の許可とその有効期限および拒否の状態を各携帯電話機毎に管理する。【００２１】
前記ＰｏＣサーバーは、前記携帯電話機からのＰｏＣ通信を行う旨の要求に応じて、前記グループ管理サーバーにてグループを形成する携帯電話機間でのＰｏＣ通信の制御を行い、ＰｏＣ通信を行っている携帯電話機からの発言権の要求を受け付けると、前記前記プレゼンスサーバーに管理されている各携帯電話機毎の発言の許可とその有効期限および拒否の状態を参照し、その内容に応じて前記発言権の要求を行った携帯電話機についての発言を許可または拒否する。【００２２】
上記第１、第２の実施の形態のいずれにおいても、前記ＰｏＣサーバーは、前記ＰｏＣ通信を行う旨の要求を行った携帯電話機をＰｏＣ通信の主催者が利用する主催者端末とし、該主催者端末とされた携帯電話機からの通知により前記プレゼンスサーバーは該ＰｏＣ通信における各携帯電話機毎の発言の許可および拒否の状態を管理することとしてもよい。【００２３】
主催者端末は、個人（携帯電話機）単位ではなくグループ単位で、上記発言の拒否／許可を設定可能とする。【００２４】
また、前記ＰｏＣサーバーは、ＰｏＣ通信メンバーの発言時間又は／および発言回数を記録し、ＰｏＣ通信を行っている携帯電話機からの発言権の要求を受け付けると、発言権が均等に与えられるように発言時間および発言回数のいずれか一方、あるいは、発言時間又は発言回数の双方がそれぞれ所定の閾値（発言回数上限、発言時間上限）以内であることを条件として前記発言権の要求を行った携帯電話機についての発言を許可することとしてもよい。【００２５】
また、ＰｏＣ通信メンバーに対して主催者を設定（変更）可能とし、主催者が発言の拒否／許可を設定可能とする。【００２６】
次に、本発明の具体的な実施例について図面を参照して説明する。
実施例１
図１は本発明に係わる携帯端末装置としての携帯電話機の構成の要部を示すブロック図である。【００２７】
本実施例の携帯電話機１１は、バス１３を介して接続されるＣＰＵ（中央処理装置）１２、ＲＯＭ１４、作業用メモリ１５、ＬＥＤ１６、キー入力部１９、表示制御部２１、送受信部２３と、キー入力部１９に接続する操作キー（特定キー）１７、表示制御部２１に接続する表示部２２とを具備する。【００２８】
ＲＯＭ１４は、ＣＰＵ１２が実行するための各種の制御用プログラムやかな文字変換等に使用される辞書等の固定的なデータを格納したリード・オンリ・メモリである。【００２９】
作業用メモリ１５はＲＡＭ（ランダム・アクセス・メモリ）によって構成されており、ＣＰＵ１２がプログラムを実行する上で一時的に必要とされるデータを格納するようになっている。電子メールを送信する際の編集用の画像データもこの作業用メモリ１５の所定の領域に格納される。【００３０】
ＬＥＤ１６は着信や端末装置の状態を光で通知するデバイスである。【００３１】
キー入力部１９は、特定キー１７を含む各種のキーからのキー入力を受け付ける入力回路である。【００３２】
表示制御部２１は、表示部２２の表示を制御する制御回路である。表示部２２は、図示しない装置本体の前面に配置されており、白黒あるいはカラーの液晶パネルあるいは有機ＥＬ（電子蛍光）等の表示装置である。【００３３】
送受信部２３は、無線によってデータの送受信を行う回路である。本回路は通信距離の広い場合に使用され、主に携帯電話機１１と基地局との通信で使用される。【００３４】
図２はＰｏＣ通信を行うシステムの構成を概略的に示す図である。【００３５】
図２に示されるシステムは、ネットワーク１００と、該ネットワーク１００を介して相互に接続される、複数の携帯電話機１０１、プレゼンスサーバ１０２、ＰｏＣサーバ１０３およびグループ管理サーバ１０４から構成されている。【００３６】
携帯電話機１０１は図１に示した構成を有する端末装置である。【００３７】
プレゼンスサーバー１０２は携帯電話機１０１の現在の状態を管理するサーバーであり、携帯電話機１０１はプレゼンスサーバー１０２に対して自機の状態（プレゼンス）を通知し、更新することができる。【００３８】
ＰｏＣサーバー１０３は携帯電話機１０１同士のＰｏＣ通信を制御するサーバーであり、具体的な機能としては、プレゼンスサーバー１０２を参照して発言権の制御等の通信制御を行い、参照結果に応じてプレゼンスサーバー１０２の登録内容を変更する。【００３９】
グループ管理サーバー１０４は、通信相手を登録するサーバーであり、登録された通信相手のプレゼンスをプレゼンスサーバー１０２から参照することができる。【００４０】
携帯電話機１０１はグループ管理サーバー１０４に問い合わせを行い、グループに登録された他の携帯電話機１０１のプレゼンスを確認することができる。【００４１】
ＰｏＣ通信を開始する場合、発信者が利用する端末装置１０１より各メンバーに対して通信開始要求が行われる。【００４２】
通信開始要求はＰｏＣサーバー１０３、グループ管理サーバー１０４を通して各メンバーが利用する端末に通知される。【００４３】
通信開始要求を受けた各端末は参加可能であれば利用者の入力により参加要求を行い、通信状態に移行する。【００４４】
通信に参加している各メンバーにはプレゼンスサーバー１０２を介して各端末装置１０１に状態が通知される。【００４５】
各状態は図３〜図５に例示するプレゼンス画面にて表示・確認可能となる。図３に示すプレゼンス画面では現在の発言者を項目２０１に表示し、参加しているメンバーを項目２０２に表示する。項目２０３にはメンバーの名前が表示され、項目２０４でメンバーの参加状態が表示されて参加者の確認が可能となる。項目２０５は、次発言者を示している。【００４６】
図４に示すプレゼンス画面では、上記図３の表示項目に加えて、発言許可の有効期限（項目２０６）が表示される。この発言許可の有効期限（符号２０６）が、例えば、残り秒数をカウントダウンする形式で表示される。【００４７】
また、図５に示すプレゼンス画面では、「Ｃｈａｎ」、「Ｋｅｎ」、「Ｊｏｅ」の順で設定された発言順序が表示されている。また、図５の例では、「Ｍｉｋｅ」には、発言権が与えられていない（ｄｅｎｙ）ことが判る。【００４８】
図６ないし図９は本実施例の動作を示すフローチャートであり、以下に各図を参照して説明する。なお、以下の説明において端末装置１０１が行う動作は端末装置１０１の利用者の入力に応じて行うものであるが以下の説明では端末装置１０１を主体として説明を行う。【００４９】
図６に示すように、端末装置１０１のいずれかによりＰｏＣ通信の開始が要求されると、ＰｏＣサーバー１０３はＰｏＣ通信を確立し（ステップ６０１）、ＰｏＣ通信の開始を要求した端末装置１０１を主催者の利用する主催者端末として設定する（ステップ６０２）。【００５０】
続いて、主催者端末は各参加メンバーの発言拒否／許可を設定する（ステップ６０３）。発言許可は主催者が端末装置１０１を使用し、図１に示した操作キー１７ならびにキー入力部１９により、図３のプレゼンス画面と同様の発言許可／拒否の設定画面が表示された表示部２２を参照しながら項目２０５の次発言者の設定を行う。【００５１】
主催者端末はメンバーの発言拒否／許可が設定されると、送受信部２３を介してプレゼンスとしてプレゼンスサーバー１０２に発言拒否／許可の情報を通知して登録を行う（ステップ６０４）。【００５２】
プレゼンスを登録することにより、図３に示すように各参加メンバーに対して発言権の許可が付与される。図３に示す例では「Ｃｈａｎ」に対して項目２０５が強調された表示とされて発言許可が与えられていることが示されている。【００５３】
ここで、発言許可が与えられたメンバーに対して図１に示したＬＥＤ１６により通知を行うものとしてもよい。ＬＥＤ１６により通知を行う場合には、折り畳み型の端末で表示部が見えない場合などであっても発言許可を確認することができる。【００５４】
図３に示す画面は項目２０５により発言許可を示しているが、図４の項目２０６に「６０（秒）」と示すように発言許可の有効時間を表示することもできる。さらに、図５の項目２０７に示すように「１ｓｔ」、「２ｎｄ」、「３ｒｄ」、「ｄｅｎｙ」といった表示により発言順番や発言拒否を通知できる。【００５５】
図３の項目２０５では「ＮＥＸＴ」と表示されている「Ｃｈａｎ」に発言許可が与えられており、「Ｃｈａｎ」が発言要求をした場合のみ通話が可能となる。【００５６】
一方、図３に示される「Ｋｅｎ」や「Ｍｉｋｅ」には発言許可が与えられていないため、発言要求を行っていても発言権を取得することができない。発言許可の有効期限はプレゼンスサーバー１０２により管理される。【００５７】
図３ないし図５に示されるプレゼンス表示は上述したようにＣＰＵ１２および表示制御部２１の制御により表示部２２に表示されるが、ＣＰＵ１２および表示制御部２１は、通信相手のプレゼンスをプレゼンスサーバー１０２から取得したグループ管理サーバー１０４の登録内容を参照して制御を行う。【００５８】
この後、メンバーからの発言権の要求を受け付けたＰｏＣサーバー１０３は（ステップ６０５）、プレゼンスサーバー１０２を参照することにより発言権要求者に発言許可があるかを確認し（ステップ６０６）、発言許可が登録されている場合には発言を許可し、発言権要求者による発言が開始される（ステップ６０７）。ステップ６０６にて発言許可が登録されていないことが確認された場合には発言を不可とする（ステップ６０８）。【００５９】
実施例２
図７に示すフローチャートは発言許可の有効期限を制御する実施例の特徴的な動作を示している。【００６０】
主催者端末の利用者が各参加メンバーの発言拒否／許可を設定し（ステップ７０１、（図６におけるステップ６０３））、有効期限（タイマー）を設定する旨の入力を行うと、送受信部２３を介してプレゼンスとしてプレゼンスサーバー１０２に発言拒否／許可の情報およびタイマーを設定することが通知される。【００６１】
上記の通知を受け付けたプレゼンスサーバー１０２では発言拒否／許可の情報を設定するとともに有効期限タイマー（不図示）を起動する（ステップ７０２）。この有効期限タイマーはカウントダウンしている状態のときに設定した発言拒否／許可の情報を有効とするものである。【００６２】
この後、メンバーからの発言権の要求を受け付けたＰｏＣサーバー１０３は、プレゼンスサーバー１０２を参照することにより発言権要求者に発言許可があるかとともに有効期限タイマーが期限内であるかを確認し（ステップ７０３）、発言許可が登録されてい有効期限タイマーが期限内である場合には発言を許可し、発言権要求者による発言が開始される（ステップ７０４）。ステップ７０３にて発言許可が登録されていないことや、有効期限タイマーの期限が過ぎていることのすくなくとも一方が確認された場合には全メンバーに発言許可を付与するようにプレゼンスサーバー１０２の登録内容を変更する（ステップ７０５）。【００６３】
実施例３
図８は、主催者を設けずに発言回数および発言時間で発言許可を自動的に付与する実施例の特徴的な動作を示すフローチャートである。【００６４】
ＰｏＣサーバー１０３には各メンバーに対する発言回数および発言時間が規定されており、始めにはすべてのメンバーに対して発言許可を付与するようにプレゼンスサーバー１０２の登録内容を変更する。ＰｏＣ通信が開始されてＰｏＣ通信が確立され、各メンバーが発言を行うと、ＰｏＣサーバー１０３は発言回数および発言時間を加算し（ステップ８０１、８０２）、発言回数が規定回数を超えているか、発言時間が規定時間を超えているかの確認を行う（ステップ８０３、８０４）。これらのいずれも規定内である場合にはプレゼンスサーバー１０２の登録内容をそのメンバーについて発言許可を付与するものとし（ステップ８０５）、いずれかが規定を超えている場合にはプレゼンスサーバー１０２の登録内容をそのメンバーについて発言拒否とする（ステップ８０６）。【００６５】
なお、発言回数および発言時間を規定するものとしたが、これらのいずれか一方でもよい。【００６６】
図９は、図８に示したフローチャートのステップ８０５にて発言拒否に設定されたメンバーを発言拒否とする動作を示すフローチャートである。【００６７】
ＰｏＣサーバー１０３は、規定の回数または時間を超えた発言を行ったメンバーを発言拒否とし（ステップ９０１（図８におけるステップ８０５））た後、タイマー（不図示）を起動し（ステップ９０２）、一定時間が経過したかの確認（ステップ９０３）、他のメンバーの発言があったかの確認（ステップ９０４）を行う。一定時間が経過し、他のメンバーの発言があった場合にはプレゼンスサーバー１０２の登録内容をそのメンバーについて発言許可を付与するものとする（ステップ９０６）。【００６８】
なお、一定時間が経過したかの確認、および、他のメンバーの発言があったかの確認を行うものとしたが、これらのいずれか一方を確認することとしてもよい。【００６９】
また、発言許可をメンバー単位としているが、グループ単位に設定してもよい。この場合、あるグループで発言・討論を行い、他のグループは聴くのみとなる。【００７０】
さらに、発言許可を図５で示すように順番を表示してもよい。この場合、順番で発言を行う場合に有用である。【００７１】
なお、上記の実施例の動作は組み合わせて実行することが可能であり、本発明には各実施例を組み合わせた構成も含まれる。【００７２】
本発明の全開示（請求の範囲を含む）の枠内において、さらにその基本的技術思想に基づいて、実施形態ないし実施例の変更・調整が可能である。また、本発明の請求の範囲（クレーム）の枠内において、種々の開示要素の多様な組み合せないし選択が可能である。
【図１】
2007105445.tif 000003
【図２】
2007105445.tif 000004
【図３】
2007105445.tif 000005
【図４】
2007105445.tif 000006
【図５】
2007105445.tif 000007
【図６】
2007105445.tif 000008
【図７】
2007105445.tif 000009
【図８】
2007105445.tif 000010
【図９】
2007105445.tif 000011
【国際調査報告】
2007105445.tif 000012
2007105445.tif 000013